(57)【要約】【課題】    タッチパネルの検知面に確実に接触することができるタッチパネルの検知面への接触装置を提供する。【解決手段】タッチパネルの検知面に接触するタッチパネル検知面への接触装置であって、三角形の頂点を形成する３点を含む検知面に存する少なくとも３点において検知面に当接する当接手段と、検知面に接触する接触部を有すると共に検知面に対して進退自在に支持されることで、当接手段が該少なくとも３点において検知面に当接した状態において、検知面に接触部が接触した状態である接触状態と、検知面から接触部が離れた状態である非接触状態と、を取り得る接触手段と、接触手段を検知面に対して進退させ、接触状態と非接触状態とを切り替える進退手段と、を備えてなる、接触装置である。【選択図】  図４
2015138361.tif 000002
【特許請求の範囲】
【請求項１】
タッチパネルの検知面に接触するタッチパネル検知面への接触装置であって、
三角形の頂点を形成する３点を含む検知面に存する少なくとも３点において検知面に当接する当接手段と、
検知面に接触する接触部を有すると共に検知面に対して進退自在に支持されることで、当接手段が該少なくとも３点において検知面に当接した状態において、検知面に接触部が接触した状態である接触状態と、検知面から接触部が離れた状態である非接触状態と、を取り得る接触手段と、
接触手段を検知面に対して進退させ、接触状態と非接触状態とを切り替える進退手段と、
を備えてなる、接触装置。
【請求項２】
各々が独立して接触状態と非接触状態とをとり、接触部が検知面に接触する位置が各々異なる少なくとも２以上の接触手段と、
少なくとも２以上の接触手段各々に設けられた少なくとも２以上の進退手段と、を有するものである、請求項１に記載の接触装置。
【請求項３】
前記少なくとも２以上の接触手段が異なるタイミングにより接触状態となり得るものである、請求項２に記載の接触装置。
【請求項４】
前記接触装置の使用者が把持し、把持する使用者の手が接触しうる導電材料により形成された導電部を有する把持手段を備え、
接触部が導電材料により形成されるものであり、
接触部と導電部とが電気的に接続されるものである、請求項１乃至３のいずれか１に記載の接触装置。
【請求項５】
接触手段が、前記導電部と電気的に接続された支持棒と、支持棒の一端に導電可能に取り付けられた導電材料により形成された支持板と、支持板に取り付けられ接触部を有し支持板より柔軟な導電材料により形成されたパッドと、を含んでなるものである、請求項４に記載の接触装置。
【請求項６】
前記導電部と電気的に接続されると共に、支持棒にスライド自在に外嵌された外嵌部材を含み、
外嵌部材を介して導電部と支持棒とが電気的に接続されるものである、請求項５に記載の接触装置。
【請求項７】
支持板の外面の一部とパッドの外面の一部が接着層を介して接着されると共に、支持板の外面の他の一部とパッドの外面の他の一部とが直接接触しており、
これら両方の他の一部のうち一方に他方に向かって突出する凸部が形成され、該他方に凸部を収容する凹部が形成されているものである、請求項５又は６に記載の接触装置。
【請求項８】
当接手段に対して把持手段を所定方向に相対的に変位させることで進退手段が動作するものである、請求項４乃至７のいずれか１に記載の接触装置。
【請求項９】
当接手段が、前記少なくとも３点を巡るように結ぶ検知面に沿った閉曲線の一部又は全部に沿って検知面に当接するものである、請求項１乃至８のいずれか１に記載の接触装置。
【請求項１０】
当接手段が検知面に当接する際に前記閉曲線の内部に存する検知面の部分に当接する補助当接手段を備えてなるものである、請求項９に記載の接触装置。
【請求項１１】
前記閉曲線の内部に存する検知面の部分に接触部が接触するものである、請求項９又は１０に記載の接触装置。
【請求項１２】
進退手段が、接触手段を接触状態及び非接触状態の一方の状態から他方の状態に遷移させる付勢バネと、該付勢バネの付勢力に抗して該他方の状態から該一方の状態に遷移させる駆動部と、を有してなるものである、請求項１乃至１１のいずれか１に記載の接触装置。
【発明の詳細な説明】
【技術分野】
【０００１】
本発明は、タッチパネルの検知面（「検出面」や「タッチパネル面」とよばれることもある）への接触装置に関し、より詳細には、通常、指先やタッチペンにて検知面に接触されることで信号が入力されるタッチパネルにおいてその検知面に接触することで信号を入力する接触装置に関する。
【背景技術】
【０００２】
携帯電話（所謂、スマートフォンとよばれるものを含む）、パーソナルコンピュータ（所謂、タブレット端末とよばれるものを含む）、ゲーム機及び家電製品等への入力装置としてタッチパネルが多用されている。タッチパネルは使用者が指やタッチペン等によってタッチパネルの検知面に接触することで検知面における接触位置を入力することができる。
かかるタッチパネルへの入力作業においては、検知面における正確な接触位置に確実に接触する必要があり、この入力作業を補助するために様々な提案がなされてきた（例えば、特許文献１参照）。
【０００３】
特許文献１は、「タッチパネル型入力装置に対するタッチ入力操作を容易にし、なおかつ誤入力を発生させない入力補助具を提供する」（特許文献１の段落番号０００９）ためになされた「タッチパネル型入力装置に対するタッチ入力操作のための入力補助具は、指に装着される装着部と、タッチパネル型入力装置に接触し得る接触面を有し、装着部に固定された支持部と、装着部に装着された指により押下され得る操作面を有し、支持部に対して撓み可能に固定された入力部と、を備える。そして、入力部は、操作面が指により押下されるときのみ入力部の先端部がタッチパネル型入力装置のタッチパネル面に接触する一方で、操作面が指により押下されるとき以外においては、支持部の接触面がタッチパネル型入力装置に接触しているときの入力部の先端部が、タッチパネル面に対して空間を空けて位置してタッチパネル面には接触しない構造を有する。」（特許文献１の段落番号００１０〜００１１）ものである入力補助具が開示されている。かかる特許文献１に開示の入力補助具によれば、「指に装着した入力補助具をタッチパネル型入力装置のタッチパネル面に載せながら使用するので、タッチパネル面から見た指の位置（すなわちタッチパネル面の垂直方向の高さ）が安定し、タッチ入力操作を容易に行うことができる。また、本発明による入力補助装置の支持部がタッチパネル型入力装置に対して接触する接触面の面積は、入力部がタッチパネル型入力装置のタッチパネル面に接触する面積よりも十分に大きいので、支持部の上記接触面がタッチパネル面に接触していても当該箇所がタッチ操作位置と認識されることはなく、したがって、誤入力も発生することはない。」（特許文献１の段落番号００１３）というものである。
【先行技術文献】
【特許文献】
【０００４】
【特許文献１】特開２００８−１７６７２０号公報（例えば、要約、請求項１、発明の詳細な説明中の段落番号０００１〜００１３、第５図、第６図等）
【発明の概要】
【発明が解決しようとする課題】
【０００５】
特許文献１の入力補助具によれば、操作面が指により押下されるときのみ入力部の先端部がタッチパネル型入力装置のタッチパネル面（検知面）に接触してタッチパネルに接触位置を入力することができるが、タッチパネル面（検知面）への接触は指の押下により行われるので、指の押下が足りない場合には検知面にうまく接触しないという問題があった。
そこで、本発明では、タッチパネルの検知面に確実に接触することができるタッチパネルの検知面への接触装置を提供することを目的とする。
【課題を解決するための手段】
【０００６】
本発明の接触装置（以下、「本装置」という）は、タッチパネルの検知面に接触するタッチパネル検知面への接触装置であって、三角形の頂点を形成する３点を含む検知面に存する少なくとも３点において検知面に当接する当接手段と、検知面に接触する接触部を有すると共に検知面に対して進退自在に支持されることで、当接手段が該少なくとも３点において検知面に当接した状態において、検知面に接触部が接触した状態である接触状態と、検知面から接触部が離れた状態である非接触状態と、を取り得る接触手段と、接触手段を検知面に対して進退させ、接触状態と非接触状態とを切り替える進退手段と、を備えてなる、接触装置である。
本装置は、タッチパネルの検知面（通常、指先やタッチペンによる接触（押圧を含む）又は接近のいずれかであるアクセスにより信号を発する面である。検出面又はタッチパネル面と呼ばれることもある。検知面は平面に沿った場合のみならず曲面に沿ったものであってもよい。）に接触するタッチパネル検知面への接触装置である。
本装置は、当接手段と接触手段と進退手段とを備えてなる。
当接手段は、タッチパネルの検知面に当接することで検知面に対して本装置を位置決めする。当接手段の検知面への当接は、検知面に存する少なくとも３点においてなされ、該少なくとも３点に含まれる３点は三角形の頂点を形成する。このような検知面に存する該少なくとも３点において当接手段が検知面に当接することで、検知面に対する本装置の相対的位置が確実に決められる。
接触手段は、検知面に接触する接触部を有する。接触手段は、当接手段が該少なくとも３点において検知面に当接した状態において、検知面に対して進退自在に支持される。接触手段が検知面に対して進退することで、検知面に接触部が接触した状態である接触状態と、検知面から接触部が離れた状態である非接触状態と、を取り得る。
進退手段は、検知面に対して進退自在に支持された接触手段を検知面に対して進退させることで、接触状態と非接触状態とを切り替える。
このように本装置では、当接手段が該少なくとも３点において検知面に当接した状態（検知面に対する本装置の相対的位置決め）において、進退手段が接触手段を検知面に対して進退させることにより、接触手段が接触状態（検知面に接触部が接触した状態）と非接触状態（検知面から接触部が離れた状態）とに切り替わるので、本装置は、タッチパネルの検知面に確実に接触することができるタッチパネルの検知面への接触装置である。
【０００７】
本装置においては、各々が独立して接触状態と非接触状態とをとり、接触部が検知面に接触する位置が各々異なる少なくとも２以上の接触手段と、少なくとも２以上の接触手段各々に設けられた少なくとも２以上の進退手段と、を有するもの（以下、「複数接触本装置」という。）であってもよい。
こうすることで少なくとも２以上の接触手段それぞれに進退手段が設けられるので、少なくとも２以上の接触手段それぞれがそれに設けられた進退手段によって独立して検知面に対して進退でき、独立して接触状態と非接触状態とをとることができる。このため少なくとも２以上の接触手段（各接触手段の接触部が検知面に接触する位置は各接触手段により異なる。）それぞれの接触部により検知面における異なる位置に自由に接触することができる。
【０００８】
複数接触本装置の場合、前記少なくとも２以上の接触手段が異なるタイミングにより接触状態となり得るものであってもよい。
こうすることで前記少なくとも２以上の接触手段それぞれが異なるタイミングにより接触状態となることで、前記少なくとも２以上の接触手段が接触状態になる順番を含めた多様な接触パターン（前記少なくとも２以上の接触手段の接触状態の経時的な変化をいう）を形成することができる（検知面の異なる接触位置を異なるタイミングで接触することができる。）。なお、前記少なくとも２以上の接触手段が接触状態になる順番を含めた接触パターンの例としては、接触手段Ａ、接触手段Ｂ、接触手段Ｃ及び接触手段Ｄの４の接触手段が存する際、４の接触手段が接触状態となる順番として、（パターン１）接触手段Ａ→接触手段Ｂ→接触手段Ｃ→接触手段Ｄ、（パターン２）接触手段Ａ→接触手段Ｂ→接触手段Ｄ→接触手段Ｃ、（パターン３）接触手段Ａ→接触手段Ｃ→接触手段Ｂ→接触手段Ｄ、（パターン４）接触手段Ａ→接触手段Ｃ→接触手段Ｄ→接触手段Ｂ、・・・・といったようなものが考えられる。
【０００９】
本装置においては、前記接触装置の使用者が把持し、把持する使用者の手が接触しうる導電材料により形成された導電部を有する把持手段を備え、接触部が導電材料により形成されるものであり、接触部と導電部とが電気的に接続されるもの（以下、「把持手段具備本装置」という。）であってもよい。
タッチパネルには静電容量方式のものがあり、かかる静電容量方式のタッチパネルの検知面へ接触部が接触した際にそれをうまくタッチパネルが検出するようにするには、本装置の使用者と接触部とを電気的に接続するようにすればよい。使用者と接触部との電気的接続は、使用者が手で把持する把持手段を本装置が備えるようにすると共に、把持手段を把持した使用者の手が接触しうる導電部（導電材料（例えば金属、導電スポンジ、導電プラスチック等）により形成される）を把持手段が有し、そして接触部（導電材料（例えば金属、導電スポンジ、導電プラスチック等）により形成される）と導電部とが電気的に接続されるようにすれば、使用者に余分な作業を課すことなく把持手段により本装置の使用を便ならしめることと共に実現することができる。把持手段具備本装置によれば、感圧方式及び静電容量方式のいずれのタッチパネルもうまく動作させることができる。
【００１０】
把持手段具備本装置の場合、接触手段が、前記導電部と電気的に接続された支持棒と、支持棒の一端に導電可能に取り付けられた導電材料により形成された支持板と、支持板に取り付けられ接触部を有し支持板より柔軟な導電材料により形成されたパッドと、を含んでなるもの（以下、「パッド具備本装置」という。）であってもよい。
こうすることで柔軟なパッド（導電材料により形成される）の外面により接触部が形成され、タッチパネルの検知面に柔軟なパッドが当接することで検知面に接触部が接触し接触状態が形成されることから、検知面を損傷させることなく接触状態を保持することができる。そして、パッドはそれよりも硬い支持板（導電材料により形成される）に取り付けられ、支持板は支持棒（導電材料により形成される）の一端に導電可能に取り付けられると共に支持棒は把持手段の前記導電部と電気的に接続される。これにより把持手段の前記導電部とパッドとが支持棒及び支持板を経由して電気的に接続され、支持棒及び支持板により確実かつ十分な強度により支持された柔軟なパッドの外面である接触部が検知面に接触するので、使用者と接触部とを電気的に接続しつつ検知面を損傷させる可能性を低減させて接触状態を確実に保持することができる。なお、パッドを形成する導電材料が「支持板より柔軟」であるとは、パッドを形成する導電材料の圧縮応力におけるヤング率が、支持板を形成する導電材料の圧縮応力におけるヤング率よりも小さいことをいう。
【００１１】
パッド具備本装置の場合、前記導電部と電気的に接続されると共に、支持棒にスライド自在に外嵌された外嵌部材を含み、外嵌部材を介して導電部と支持棒とが電気的に接続されるものであってもよい。
パッド具備本装置では、支持棒と支持板とパッドとが検知面に対して進退されるので、把持手段が有する導電部と支持棒とを電気的に接続する際にはこの支持棒の進退を許容する必要がある。導電部と支持棒とを柔軟（該進退を許容する）な導線等によって直接接続することもできるが、支持棒にスライド自在に外嵌された外嵌部材を用いることもできる。即ち、該外嵌部材が、支持棒の外面と接触可能（電気的に導通可能）に支持棒にスライド自在に外嵌される（例えば、支持棒の外面と、支持棒の外面に面する該外嵌部材の内面と、が電気的に導通可能に接触する。）と共に前記導電部と電気的に接続されることにより、該外嵌部材を支持棒の進退方向に関し固定しても該外嵌部材に対する支持棒の進退を許容しつつ導電部と支持棒とを電気的に接続することができる。また、該外嵌部材が支持棒外面と接触不可能（電気的に導通不可能）に支持棒にスライド自在に外嵌される場合と、該外嵌部材が支持棒外面と接触可能（電気的に導通可能）に支持棒にスライド自在に外嵌される場合（この場合であれば、後述の電気的に接続する手段を設けることで電気的導通を一層確実ならしめる。）と、のいずれであっても、該外嵌部材と支持棒とを電気的に接続する手段を講じるようにしてもよい。該外嵌部材と支持棒とを電気的に接続する手段としては、（１）該外嵌部材と支持棒とを電気的に接続する導線や、（２）進退手段が、接触手段を接触状態及び非接触状態の一方の状態から他方の状態に遷移させる付勢バネと、該付勢バネの付勢力に抗して該他方の状態から該一方の状態に遷移させる駆動部と、を有してなる場合において、支持棒が貫通する該付勢バネの一端が該外嵌部材に当接又は取り付けられることにより電気的に接続されると共に該付勢バネの他端が支持棒に電気的に接続される（例えば、支持棒に取り付けられたフランジ部材に該他端が当接又は取り付けられることにより電気的に接続される）ようにされた該付勢バネ等を例示できる。これによって、導電部と支持棒とを直接接続する場合に用いる導線の断線（直接接続の場合、支持棒の進退により導線の変形が生じることで断線を発生させる可能性がある）といった問題の発生を防止又は減少させ、進退手段への負荷を低減（例えば、導電部と支持棒とを導線によって直接接続した場合であれば、該導線は長くなりがちであり、その長い導線を進退手段は駆動や変形させる必要がある。）することで、本装置を高信頼性及び長寿命とすることができる。
【００１２】
パッド具備本装置の場合、支持板の外面の一部とパッドの外面の一部が接着層を介して接着されると共に、支持板の外面の他の一部とパッドの外面の他の一部とが直接接触しており、これら両方の他の一部のうち一方に他方に向かって突出する凸部が形成され、該他方に凸部を収容する凹部が形成されているものであってもよい。
パッド具備本装置の支持板とパッドとは導電可能に取り付けるが、支持板とパッドとを接着により取り付ける場合であれば接着層が介在する支持板とパッドとの間の電気抵抗は、支持板とパッドとが直接接触する場合の支持板とパッドとの間の電気抵抗よりも大きいことが多い（接着層の電気抵抗が大きい）。このため支持板の外面の一部とパッドの外面の一部が接着層を介して接着される場合に、支持板の外面の他の一部とパッドの外面の他の一部とが直接接触（接着層が介在しない）すると共に、これら両方の他の一部（支持板の外面の他の一部、パッドの外面の他の一部）のうち一方に他方に向かって突出する凸部が形成され、該他方に凸部を収容する凹部が形成されるようにして、凸部と凹部とを嵌合させることで支持板の外面の他の一部とパッドの外面の他の一部とが直接接触する面積を増加させ支持板とパッドとの間の電気抵抗を減少させてもよい。このようにすれば使用者と接触部との間に良好な電気的接続を形成することができ、静電容量方式タッチパネルに本装置の接触を円滑かつ確実に検知させることができる。
【００１３】
把持手段具備本装置の場合、当接手段に対して把持手段を所定方向に相対的に変位させることで進退手段が動作するものであってもよい。
こうすることで把持手段によって本装置の動作スイッチを構成することができる。即ち、検知面に当接する当接手段に対して把持手段を所定方向に相対的に変位させることにより本装置の進退手段を動作させる（スイッチ入）ことができるので、検知面に当接手段を当接させた状態で把持手段を所定方向（例えば、把持手段を検知面に近づくように押し下げる）に変位させるように力を加えることで本装置の進退手段を動作させ、本装置によるタッチパネルの検知面への接触を行うことができる。これによって別個に配設したスイッチを操作する格別の作業を要することがないので、本装置の使用を便ならしめる。
【００１４】
本装置においては、当接手段が、前記少なくとも３点を巡るように結ぶ検知面に沿った閉曲線の一部又は全部に沿って検知面に当接するもの（以下、「線当接本装置」という。）であってもよい。
こうすることで検知面に存する前記少なくとも３点（三角形の頂点を形成する３点を含む）を巡るように結ぶ検知面に沿った閉曲線（一部又は全部が線分であるものを含む。通常、最短の閉曲線。）の少なくとも一部に沿って当接手段が検知面に当接するので、検知面に点で当接する場合に比し検知面に対する本装置の相対的位置決めを一層確実ならしめる。
【００１５】
線当接本装置の場合、当接手段が検知面に当接する際に前記閉曲線の内部に存する検知面の部分に当接する補助当接手段を備えてなるものであってもよい。
こうすることで前記閉曲線の少なくとも一部に沿って当接手段が検知面に当接すると共に前記閉曲線の内部に存する検知面の部分に補助当接手段が当接するので、検知面に対する本装置の相対的位置をさらに確実に決めることができる。
【００１６】
線当接本装置の場合、前記閉曲線の内部に存する検知面の部分に接触部が接触するものであってもよい。
こうすることで、その少なくとも一部に沿って当接手段が検知面に当接する前記閉曲線の内部に存する検知面の部分に接触部が接触するので、接触部の検知面への接触による反力や接触手段の検知面に対する進退による反作用力によって検知面に対して本装置が回動（傾く）することを防止又は減少させることができる。
【００１７】
本装置においては、進退手段が、接触手段を接触状態及び非接触状態の一方の状態から他方の状態に遷移させる付勢バネと、該付勢バネの付勢力に抗して該他方の状態から該一方の状態に遷移させる駆動部と、を有してなるものであってもよい。
こうすることで、接触状態及び非接触状態のうち該他方の状態から該一方の状態に遷移させる駆動部を設けることで、付勢バネにより該一方の状態から該他方の状態に遷移させることができるので、該一方の状態から該他方の状態に遷移させる複雑な手段を要さないので、本装置の構成を簡単にすることができる。なお、付勢バネとしては圧縮バネと引っ張りバネのいずれでもよい。
【図面の簡単な説明】
【００１８】
【図１】本発明の一実施形態に係るタッチパネルの検知面への接触装置（本装置）の正面図である。
【図２】本装置の平面図である。
【図３】本装置の底面部分の図である。
【図４】図２のＣ−Ｃ断面図である。
【図５】図２のＤ−Ｄ断面図である。
【図６】図４中の矢印Ｅにて指した部分の一部省略拡大図（アクチュエータを取り除き、押圧部を図示した。）である。
【図７】押圧部の拡大図である。
【図８】本装置の使用方法を説明する図である。
【図９】タッチパネルの検知面における当接状態を示す図である。
【発明を実施するための形態】
【００１９】
以下、本発明の実施の形態を図面を参照して説明する。しかしながら、これらによって本発明は何ら制限されるものではない。
【００２０】
図１は、本発明の一実施形態に係るタッチパネルの検知面への接触装置（本装置）１１の正面図であり、図２は本装置１１の平面図（図１の矢印Ａ方向から見たところを示している。）であり、図３は本装置１１の底面部分の図（詳細には、図３（ａ）は本装置１１の底面図（図１の矢印Ｂ方向から見たところを示している。）であり、図３（ｂ）は本装置１１の底面部分の斜視図である。）であり、図４は図２のＣ−Ｃ断面図であり、図５は図２のＤ−Ｄ断面図であり（図３にも断面位置をＤ−Ｄにて示す。）、図６は図４中の矢印Ｅにて指した部分の一部省略拡大図（後述のアクチュエータ８１を取り除き、押圧部７１を図示した。）であり、図７は押圧部７１の拡大図である（詳細には、図７（ａ）は図６のＪ−Ｊ断面図であり、図７（ｂ）は図７（ａ）のＧ−Ｇ断面図である。）。図１乃至図７を参照して、本装置１１について説明する。なお、ここでは水平な上面を形成するタッチパネルの検知面（不図示）に外側当接部４６の下面４６ｂ及び内側当接部４２の下面４２ｂが当接する際の鉛直上方向を「上」（図中、矢印Ｑ１方向）とし、鉛直下方向を「下」（図中、矢印Ｑ２方向）として説明する。
【００２１】
本装置１１は、大まかには、内部が中空の箱形状をなす本体部２１と、本体部２１の上方に本体部２１により上下動自在に支持された中空の把持部３１（導電材料により形成されている。）と、本体部２１の下面２１ｂに取り付けられた当接部４１と、タッチパネルの検知面（不図示）に対し進退することでタッチパネルの検知面（不図示）を押圧する４個の押圧部７１と、押圧部７１が先端（ここでは下端）に取り付けられた４個のシャフト部６１と、シャフト部６１を上下にスライド可能に支持し下方に向けて駆動する４個のアクチュエータ８１と、所定のパターンによりタッチパネルの検知面（不図示）を押圧するように押圧部７１を進退させるよう４個のアクチュエータ８１を駆動する電子基板２３（必要な電子機器を担持し電気回線が形成されている）と、電子基板２３へ電気を供給するための電池５５と、電池５５から電子基板２３への電気の供給を断続するスイッチ５１と、把持部３１とシャフト部６１との間を電気的に導通させる接続線９１と、を備えてなる。
【００２２】
本体部２１は、ここでは電気的に絶縁体である合成樹脂により形成され、内部空間２２を有する中空の箱体をなしている。内部空間２２には、電子基板２３を支持する基板支持板２４が配設されている。
本体部２１の上面２１ａには、中空の円筒形状をなす内嵌部２５が形成されており、後述する把持部３１が形成する有蓋無底の中空筒形状の底に形成された開口に内嵌部２５が内嵌（遊嵌）されている。
本体部２１の下面２１ｂは、上下方向に対して垂直な平面に沿った長方形状（ここでは略正方形）を略なしており、該長方形の一対の対角線のうち一方の対角線に２の角が存すると共に他方の対角線に２の角が存する長方形（ここでは略正方形）のこれら４の角を中心として円形状にシャフト貫通孔２６（特に図５参照）が穿設されている。穿設された４のシャフト貫通孔２６のいずれも、シャフト部６１（後述の先端側シャフト部６５）を遊嵌することで、シャフト部６１（先端側シャフト部６５）が本体部２１に対して上下方向へ運動することを許容する。
【００２３】
把持部３１は、導電材料（ここでは金属製）により形成された有蓋無底の中空筒形状（釣り鐘形状に類似している）をなしている（ここでは上下方向に沿った仮想上の線分を軸とする回転体を略なす）。把持部３１の下端に形成された開口には、上述の本体部２１の内嵌部２５が内嵌（遊嵌）されており、本体部２１に対して把持部３１は上下方向に関し所定範囲内で自由に運動できる。そして、上下方向に沿った円柱状のスイッチ棒５８の上端が、把持部３１の内部に配設された固定板３２に取り付けられると共に、スイッチ棒５８は、本体部２１の内部空間２２に配設された当接板２７を遊びを有して貫通している（スイッチ棒５８は当接板２７に対し上下動自在である。）。そして、バネ５７の上端が固定板３２に当接しかつバネ５７の下端が当接板２７に当接し圧縮された状態でバネ５７がスイッチ棒５８に外嵌されるように配設されている。上述の通り、把持部３１は本体部２１に対し上下方向に自由に運動できるように本体部２１に支持されているので、本体部２１に対して把持部３１がバネ５７（圧縮バネ）の付勢力により上方向に付勢されることにより、把持部３１に重力以外の力が加わらない状態では本体部２１に対して把持部３１は上限位置に位置しているが、この上限位置から把持部３１に本体部２１方向の力を加えるとバネ５７の付勢力に抗して把持部３１を押し下げることができる。
【００２４】
当接部４１は本体部２１の下面２１ｂに取り付け（ここでは接着）られた外側当接部４６及び内側当接部４２を含んでなり、外側当接部４６及び内側当接部４２のいずれも弾力性を有する柔軟な材料により形成されている（ここでは、エチレン−酢酸ビニル共重合樹脂（ＥＶＡ）により形成されたスポンジ（所謂、ＥＶＡスポンジ）により形成されている。具体的には、株式会社ＣＯＲＮＥＲ社製の商品名「長方形シート２００ｍｍ×３３０ｍｍ×５ｍｍ  黒色」（型番１００１）を用いた。）。外側当接部４６は、本体部２１の下面２１ｂの外縁を巡るように形成されている（下面２１ｂが略形成する前記長方形状（ここでは略正方形）の４辺に沿って形成されている。）。内側当接部４２は、一対の棒状部材が互いに直交するよう組み合わされて「＋」形状に形成されており、詳細には、下面２１ｂが略形成する前記長方形状（ここでは略正方形）の４辺のうち互いに平行な一方の一対の辺に略平行な部材（該部材は該一方の一対の辺のいずれからも略等しい距離になっている。）と、該４辺のうち互いに平行な他方の一対の辺に略平行な部材（該部材は該他方の一対の辺のいずれからも略等しい距離になっている。）と、が互いに直交するように配設されている。そして、外側当接部４６の下面４６ｂ及び内側当接部４２の下面４２ｂのいずれも、上下方向に対して垂直な一平面である基準平面Ｐに存している（基準平面Ｐは、タッチパネルの検知面（不図示）に沿った面である。下面４６ｂ及び下面４２ｂは本体部２１の下面２１ｂの下方に存し下面２１ｂに平行な一平面（基準平面Ｐ）に属している。）。
【００２５】
押圧部７１は、下押圧部７３と上押圧部７５とが接着層７７により接着されてなり（特に図７（ｂ）参照）、全体としては直円柱（この直円柱の軸を「押圧部軸」という）形状を略なしている。押圧部７１は、同じものがここでは４個配設されている。
上押圧部７５は導電体（具体的には金属）により形成されており、シャフト部６１（先端側シャフト部６５）の下端に取り付けられている（シャフト部６１（先端側シャフト部６５）と上押圧部７５とは導電状態である）。上押圧部７５は、押圧部軸を軸とする直円柱部７５ａ（両底面のうち一底面（ここでは上面）がシャフト部６１（先端側シャフト部６５）の下端に取り付けられている）と、直円柱部７５ａの他底面（ここでは下面）に形成された円錐台部７５ｂ（押圧部軸を軸とする）と、を一体に有してなる。なお、円錐台部７５ｂが有する両底面のうち半径が大きい方の底面が直円柱部７５ａの他底面（ここでは下面）に一体に取り付けられている（即ち、円錐台部７５ｂは下方向に向かって先細り形状である。）。
下押圧部７３は、弾力性のある柔軟な導電材料（ここでは、導電性を付与した発泡ポリエチレンを用いた。具体的には、株式会社八幡ねじ社の商品名「オームフレックス導電シート  サイズ厚さ３×２５０×２５０ｍｍ  材質ＥＰＤＭ」（JAN：4979874849359）を用いた。）により形成されている。下押圧部７３は、押圧部軸を軸とする直円柱形状をなし、該直円柱が有する両底面のうち一底面（ここでは上面）に上押圧部７５の円錐台部７５ｂを収容する凹部７３ｈ（特に図７（ｂ）参照）が形成されている。なお、下押圧部７３の下面７３ｂは押圧部軸に対して垂直な平面に属する。
下押圧部７３の一底面（ここでは上面）と上押圧部７５の他底面（ここでは下面）とは、凹部７３ｈ及び円錐台部７５ｂとが面する部分を除いて接着層７７により接着されることで下押圧部７３と上押圧部７５とが取り付けられている。接着層７７は導電率が低い（ほぼ絶縁体）ものであるが、凹部７３ｈ及び円錐台部７５ｂとが接着層７７を介さず直接接触するように構成することで、シャフト部６１（先端側シャフト部６５）から上押圧部７５を経由して下押圧部７３までうまく導電させることができる。また、凹部７３ｈと円錐台部７５ｂとを接触させることで、押圧部軸に対して垂直な平面に沿って下押圧部７３上面と上押圧部７５下面とが接触する場合に比して下押圧部７３と上押圧部７５との接触面積を増加させ、上押圧部７５と下押圧部７３との間の電気抵抗を減少させることができる。
【００２６】
シャフト部６１は、先端側シャフト部６５と、先端側シャフト部６５の基端（ここでは上端）に先端（ここでは下端）が取り付けられた基端側シャフト部６３と、基端側シャフト部６３の基端（ここでは上端）近傍に固定（ここではハンダ付け）された基端側フランジ部材６２と、基端側シャフト部６３を遊嵌する貫通孔を有する先端側フランジ部材６４と、基端側フランジ部材６２と先端側フランジ部材６４との間の基端側シャフト部６３に外嵌されたつるまきバネ６６と、を含んでなる。先端側シャフト部６５及び基端側シャフト部６３は一直線に沿った真っ直ぐな棒状を形成しており、先端側シャフト部６５が形成する円柱形状よりも半径の大きな円柱形状を基端側シャフト部６３は形成している。このシャフト部６１は４個の押圧部７１それぞれに合計４個設けられている。基端側フランジ部材６２と先端側フランジ部材６４とはいずれも該一直線に対して垂直な平面に沿ったドーナツ状の平板部材（円盤部材）により形成されている。先端側フランジ部材６４の両主表面のうち基端側フランジ部材６２に面する面６４ａ（ここでは上面）には接続線９１がハンダ９４により接続されている（特に図６参照）。
なお、先端側シャフト部６５及び基端側シャフト部６３は後述のアクチュエータ８１に上下方向にスライド自在に内嵌され支持されると共に、先端側フランジ部材６４の両面のうち基端側フランジ部材６２とは反対の面６４ｂ（ここでは下面）はアクチュエータ８１の上面に当接する。
【００２７】
アクチュエータ８１は、シャフト部６１の先端側シャフト部６５を上下にスライド自在に支持する（アクチュエータ８１が有するスリーブ８３が先端側シャフト部６５を貫通させ上下動自在な状態で支持する）と共に電磁力により先端側シャフト部６５及び基端側シャフト部６３を押圧部７１方向（ここでは下方向）に駆動する（即ち押圧部７１が下方向に突出する）。上述の通り、先端側フランジ部材６４はアクチュエータ８１の上面に当接しているので、基端側シャフト部６３が押圧部７１方向（ここでは下方向）に駆動されると基端側フランジ部材６２と先端側フランジ部材６４との間でつるまきバネ６６は圧縮される（即ち、つるまきバネ６６の付勢力に抗して基端側シャフト部６３が押圧部７１方向（ここでは下方向）に駆動される。）。図４及び図５においては、シャフト部６１が左右一対示されているが、これらのうち右側のシャフト部６１は基端側シャフト部６３が押圧部７１方向（ここでは下方向）に駆動されていない状態（以下、「非駆動状態」という）を示し、これらのうち左側のシャフト部６１は基端側シャフト部６３が押圧部７１方向（ここでは下方向）に駆動された状態（つるまきバネ６６が圧縮されている）を示している。図４及び図５に示すように、基端側シャフト部６３が押圧部７１方向（ここでは下方向）に駆動された状態（以下、「駆動状態」という）においては、押圧部７１の下面７３ｂが、外側当接部４６の下面４６ｂ及び内側当接部４２の下面４２ｂが属する基準平面Ｐよりも下方にやや突出している（タッチパネルの検知面（不図示）を押圧した状態）。かかる駆動状態においてはつるまきバネ６６が圧縮されているので、基端側シャフト部６３を押圧部７１方向（ここでは下方向）に駆動しているアクチュエータ８１の電磁力を消去すると、つるまきバネ６６の付勢力によって基端側シャフト部６３が押圧部７１とは反対方向（ここでは上方向）に移動し非駆動状態になる（タッチパネルの検知面（不図示）を押圧していない状態）。
なお、上述の如く、シャフト部６１とその先端に取り付けられた押圧部７１とは複数（ここでは４）対が配設されているが、これら複数（ここでは４）の対のいずれも非駆動状態においては押圧部７１の下面７３ｂが、外側当接部４６の下面４６ｂ及び内側当接部４２の下面４２ｂが属する基準平面Ｐよりも上方に存する基準平面Ｐと略平行な一平面（以下、「上平面」という）に属する（４の下面７３ｂは非駆動状態ではいずれも上平面に属する）と共に、これら複数（ここでは４）の対のいずれも駆動状態においては押圧部７１の下面７３ｂが、基準平面Ｐよりも下方に存する基準平面Ｐと略平行な一平面（以下、「下平面」という）に属する（４の下面７３ｂは駆動状態ではいずれも下平面に属する）。
【００２８】
電子基板２３は、所定のパターンにより押圧部７１がタッチパネルの検知面（不図示）を押圧するように４個のアクチュエータ８１により先端側シャフト部６５及び基端側シャフト部６３を駆動するために必要な電子機器を担持すると共にそれらが機能するような電気回線を形成している。具体的には、所定のパターンにより押圧部７１がタッチパネルの検知面（不図示）を押圧するのに必要な４個のアクチュエータ８１への通電（通電により基端側シャフト部６３が押圧部７１方向（ここでは下方向）に駆動され、押圧部７１がタッチパネルの検知面（不図示）を押圧する。）のタイミングを記憶する記憶手段と、該記憶手段から通電タイミングを読み出す読み出し手段と、読み出し手段により読み出された通電タイミングに従って各アクチュエータ８１へ通電する通電手段と、を電子基板２３は有している。なお、記憶手段が記憶した通電タイミングを書き換える書き換え手段を有してもよい。電子基板２３は、上述の如く、基板支持板２４により支持されている。
なお、押圧部７１がタッチパネルの検知面（不図示）を押圧する「所定のパターン」とは、ここではタッチパネルの検知面（不図示）の異なる位置を押圧する４個の押圧部７１が存するが、これら４個の押圧部７１がタッチパネルの検知面（不図示）を押圧する経時的な状態をいい、例えば、これら４個の押圧部７１がタッチパネルの検知面（不図示）を押圧する時系列としての順番、これら４個の押圧部７１がタッチパネルの検知面（不図示）を押圧する個数、これら４個の押圧部７１がタッチパネルの検知面（不図示）を押圧する時間等を要素として、これら要素の１又は２以上の組合せを異ならせることにより形成されるものである。
【００２９】
電池５５は、ここでは把持部３１の内部に収容されており、電子基板２３を経て各アクチュエータ８１へ電気を供給（通電）する。電池５５は、所定のパターンにより押圧部７１が所望回数程度タッチパネルの検知面（不図示）を押圧するのに十分な電圧及び容量のものを用いているが、電池５５が消耗した場合は新しい電池と容易に交換することができるようになっている。
【００３０】
スイッチ５１は、一方の接触端子５１ａと他方の接触端子５１ｂとを有してなり、一方の接触端子５１ａは前述のスイッチ棒５８の下端に取り付けられると共に、他方の接触端子５１ｂは一方の接触端子５１ａに相対するように電子基板２３の上面に固定されている（特に図４参照）。一方の接触端子５１ａと他方の接触端子５１ｂとが接触するとスイッチ５１が入り電池５５から電子基板２３へ電気が供給され、一方の接触端子５１ａと他方の接触端子５１ｂとが離れるとスイッチ５１が切れ電池５５から電子基板２３への電気の供給が断たれる。
上述したように本体部２１に対して把持部３１はバネ５７の付勢力により上方向に付勢されているので、把持部３１に重力以外の力が加わらない状態ではスイッチ棒５８の下端に取り付けられた一方の接触端子５１ａは、電子基板２３の上面に固定された他方の接触端子５１ｂの上方に位置しており、一方の接触端子５１ａと他方の接触端子５１ｂとが離れた状態となり（スイッチ切）電池５５から電子基板２３へ電気は供給されない。この状態から把持部３１を手で把持してバネ５７の付勢力に抗して把持部３１を本体部２１に対して押し下げると、スイッチ棒５８の下端に取り付けられた一方の接触端子５１ａが、電子基板２３の上面に固定された他方の接触端子５１ｂに向けて降下し、一方の接触端子５１ａと他方の接触端子５１ｂとが接触した状態となり（スイッチ入）電池５５から電子基板２３へ電気が供給される。この電子基板２３への電気の供給により、所定タイミングで各アクチュエータ８１へ通電され、所定のパターンにより押圧部７１がタッチパネルの検知面（不図示）を押圧する。例えば、４の押圧部７１をそれぞれ押圧部７１Ａ、押圧部７１Ｂ、押圧部７１Ｃ及び押圧部７１Ｄとすると、押圧部７１Ａを駆動するアクチュエータ８１Ａ、押圧部７１Ｂを駆動するアクチュエータ８１Ｂ、押圧部７１Ｃを駆動するアクチュエータ８１Ｃ及び押圧部７１Ｄを駆動するアクチュエータ８１Ｄにアクチュエータ８１Ａに０．５秒通電、０．５秒空き時間、アクチュエータ８１Ｂに０．５秒通電、０．５秒空き時間、アクチュエータ８１Ｃに０．５秒通電、０．５秒空き時間、アクチュエータ８１Ｄに０．５秒通電の順に通電することで、押圧部７１Ａ、押圧部７１Ｂ、押圧部７１Ｃ、押圧部７１Ｄの順番にタッチパネルの検知面（不図示）を押圧する（これによりタッチパネルは、その検知面の異なる位置が順番に押圧されたことを検出する）。その後、把持部３１を本体部２１に対して押し下げる力を減じるか又は除去すると、把持部３１はバネ５７の付勢力により上方向に移動し、一方の接触端子５１ａと他方の接触端子５１ｂとが離れた状態となり（スイッチ切）電池５５から電子基板２３への電気供給が断たれる。
【００３１】
接続線９１（電気的な導線）は、一端が把持部３１（金属製）に接続されると共に、他端側が４個のシャフト部６１の先端側フランジ部材６４に接続されている。具体的には、特に図６に示すように、先端側フランジ部材６４への接続線９１の接続は、先端側フランジ部材６４の面６４ａ（ここでは上面）へのハンダ９４による。先端側フランジ部材６４は基端側シャフト部６３を上下方向にスライド自在に内嵌しているが、先端側フランジ部材６４と基端側シャフト部６３との接触により（基端側シャフト部６３を内嵌する先端側フランジ部材６４の貫通孔の内周面のいずれかの部分と、基端側シャフト部６３の外周面のいずれかの部分と、が接触する。）、接続線９１、ハンダ９４、先端側フランジ部材６４、基端側シャフト部６３、先端側シャフト部６５、上押圧部７５、下押圧部７３、下面７３ｂと電気的な導通が確実に形成される。そして、この電気的な導通に加え、先端側フランジ部材６４からつるまきバネ６６及び基端側フランジ部材６２を経由して基端側シャフト部６３（基端側フランジ部材６２がハンダ付けされている）への電気的導通も形成されるので、接続線９１、ハンダ９４、先端側フランジ部材６４から基端側シャフト部６３、先端側シャフト部６５、上押圧部７５、下押圧部７３、下面７３ｂへの一層確実な電気的導通が形成される。
これによって本装置１１の使用者（不図示）が金属製の把持部３１を手で把持した状態では、使用者（不図示）の手と下押圧部７３の下面７３ｂとが電気的に確実に導通するので、静電容量方式のタッチパネル（不図示）のタッチパネルの検知面（検知面）に下面７３ｂが接近又は当接しても該タッチパネルがその接近や当接をうまく検知（検出）することができる。
【００３２】
次いで、図８を参照しつつ本装置１１の使用方法について説明する。後述の通り、図８（ａ）は本装置１１の使用者（不図示）の手２０１により本装置１１の把持部３１を把持したところを示す正面図であり、図８（ｂ）は図２のＤ−Ｄ断面図（一部省略）である。
まず、図８（ａ）のように、本装置１１の使用者（不図示）が手２０１により本装置１１の金属製の把持部３１を把持する。
次いで、図８（ｂ）に示すように、使用者（不図示）が、把持部３１を手２０１で把持した本装置１１の当接部４１（外側当接部４６、内側当接部４２）がタッチパネル３０１の検知面３０３（基準平面Ｐに略一致。）に当接するように本装置１１を配置する（詳細には、下面４６ｂ及び下面４２ｂが検知面３０３に当接する。）。
そして、手２０１によりバネ５７の付勢力に抗して把持部３１をタッチパネル３０１の検知面３０３方向に押し下げると、一方の接触端子５１ａと他方の接触端子５１ｂとが接触してスイッチ５１が入り、電池５５から電子基板２３へ電気が供給される。この電子基板２３への電気の供給により、所定タイミングでアクチュエータ８１各々に通電が生じ、所定のパターンにより押圧部７１がタッチパネル３０１の検知面３０３を押圧（接触）する。図８（ｂ）に示した例では、図示された左右一対の押圧部７１のうち左側の押圧部７１の下面７３ｂがタッチパネル３０１の検知面３０３を押圧している。この押圧部７１の下面７３ｂがタッチパネルの検知面３０３を押圧した状態において、使用者（不図示）の手２０１と下押圧部７３の下面７３ｂとが電気的に導通しているので、タッチパネル３０１が静電容量方式であっても下面７３ｂの接近又は当接をタッチパネル３０１がうまく検知することができるし、下面７３ｂがタッチパネルの検知面３０３を押圧するためタッチパネル３０１が感圧方式であっても下面７３ｂの当接をタッチパネル３０１がうまく検知することができるので、タッチパネル３０１の種類を問わず本装置１１を円滑かつ確実に使用することができる。なお、所定のパターンにより押圧部７１がタッチパネルの検知面３０３を押圧したことをタッチパネル３０１は検出し、その検出信号をタッチパネル３０１が接続された制御部（通常はコンピュータ（例えば、携帯電話に内蔵されるもの、パーソナルコンピュータに内蔵されるもの、所謂タブレット端末に内蔵されるもの等を例示できる。）を含んで構成される。）に送信し、該制御部においては入力された検出信号に応じた処理を行う。なお、押圧部７１の下面７３ｂがタッチパネル３０１の検知面３０３を押圧しているときには、弾力性のある柔軟な材料により構成された下押圧部７３が弾性変形することで、タッチパネルの検知面３０３の損傷を防止すると共に下面７３ｂとタッチパネルの検知面３０３との確実な接触を保つ。
所定のパターンにより押圧部７１がタッチパネル３０１の検知面３０３を押圧した後、使用者（不図示）が把持部３１をタッチパネルの検知面３０３方向に押し下げている力を減じるか又は除去すると、把持部３１はバネ５７の付勢力により上方向に移動し、一方の接触端子５１ａと他方の接触端子５１ｂとが離れてスイッチ５１が切れ、電池５５から電子基板２３への電気供給が断たれる。
【００３３】
上述のように、本装置１１においては、手２０１によりバネ５７の付勢力に抗して把持部３１をタッチパネル３０１の検知面３０３方向に押し下げることにより、一方の接触端子５１ａと他方の接触端子５１ｂとが接触してスイッチ５１が入って電池５５から電子基板２３へ電気が供給され動作するように構成されているが、このように把持部３１の本体部２１に対する相対的な変位によりスイッチ５１を断続させるものに限定されるものではなく、本装置１１の使用者が容易かつ確実にスイッチを断続できるものであればいかなるスイッチを用いるようにしてもよい。スイッチの別の例としては、（１）使用者が操作できる位置にスイッチを設ける場合（例えば、把持部を把持したままで操作できる位置にスイッチを設ける。一例としては、図８（ａ）に示す通り、手２０１により把持部３１を把持した状態において、把持部３１の上面３９にスイッチを設けていれば、手２０１の親指により該スイッチを押してスイッチを入れることができる。）、（２）把持部を把持した把持状態を電気的に検知し、把持状態において何らかの音（例えば、かけ声）を検知するとスイッチが入るような場合、（３）把持部を把持した把持状態を電気的に検知し、把持状態において当接部４１が所定時間以上当接するとスイッチが入るような場合等を一例として挙げることができる。
【００３４】
以上説明した通り、本装置１１は、タッチパネル３０１の検知面３０３に接触するタッチパネル検知面への接触装置であって、三角形の頂点を形成する３点を含む検知面３０３に存する少なくとも３点（ここでは外側当接部４６が当接する検知面３０３の部分に存する少なくとも３点をとることができる）において検知面３０３に当接する当接手段（ここでは外側当接部４６）と、検知面３０３に接触する接触部（ここでは押圧部７１の下面７３ｂ）を有すると共に検知面３０３に対して進退自在に支持されることで、当接手段（外側当接部４６）が該少なくとも３点において検知面３０３に当接した状態において、検知面３０３に接触部（下面７３ｂ）が接触した状態である接触状態と、検知面３０３から接触部（下面７３ｂ）が離れた状態である非接触状態と、を取り得る接触手段（ここでは先端側シャフト部６５と基端側シャフト部６３と基端側フランジ部材６２と押圧部７１とを含んでなる）と、接触手段（先端側シャフト部６５と基端側シャフト部６３と基端側フランジ部材６２と押圧部７１）を検知面３０３に対して進退させ、接触状態と非接触状態とを切り替える進退手段（ここではアクチュエータ８１とつるまきバネ６６とを含んでなる）と、を備えてなる、接触装置である。
なお、図９は、タッチパネル３０１の検知面３０３における当接手段（外側当接部４６）の当接部分３４６、補助当接手段（内側当接部４２）の当接部分３４２、接触部（押圧部７１の下面７３ｂ）の当接部分３７１を示した図である。当接手段（外側当接部４６）は、三角形の頂点を形成する３点（当接部分３４６に存し三角形の頂点を形成する３点を無数に選択できる。一例として点Ｐ１、点Ｐ２、点Ｐ３を示した。）を含む検知面３０３に存する少なくとも３点（当接部分３４６に存する無数の点）において検知面３０３に当接する。
【００３５】
本装置１１においては、各々が独立して接触状態と非接触状態とをとり、接触部（下面７３ｂ）が検知面３０３に接触する位置が各々異なる少なくとも２以上（ここでは４）の接触手段（先端側シャフト部６５、基端側シャフト部６３、基端側フランジ部材６２及び押圧部７１）と、少なくとも２以上（４）の接触手段（先端側シャフト部６５、基端側シャフト部６３、基端側フランジ部材６２及び押圧部７１）各々に設けられた少なくとも２以上（ここでは４）の進退手段（アクチュエータ８１、つるまきバネ６６）と、を有するものである。
本装置１１においては、前記少なくとも２以上（４）の接触手段（先端側シャフト部６５、基端側シャフト部６３、基端側フランジ部材６２及び押圧部７１）が異なるタイミングにより接触状態となり得るものである。
【００３６】
本装置１１においては、前記接触装置（本装置１１）の使用者が把持し（ここでは使用者（不図示）が手２０１で把持する）、把持する使用者の手２０１が接触しうる導電材料により形成された導電部（ここでは把持部３１外面）を有する把持手段（ここでは把持部３１）を備え、接触部（下面７３ｂ）が導電材料（ここでは導電性を付与した発泡ポリエチレン）により形成されるものであり、接触部（下面７３ｂ）と導電部（把持部３１外面）とが電気的に接続されるものである。
本装置１１においては、接触手段（先端側シャフト部６５、基端側シャフト部６３、基端側フランジ部材６２及び押圧部７１）が、前記導電部（把持部３１外面）と電気的に接続された支持棒（ここでは先端側シャフト部６５と基端側シャフト部６３）と、支持棒（先端側シャフト部６５と基端側シャフト部６３）の一端に導電可能に取り付けられた導電材料（ここでは金属）により形成された支持板（ここでは上押圧部７５）と、支持板（上押圧部７５）に取り付けられ接触部（下面７３ｂ）を有し支持板（上押圧部７５）より柔軟な導電材料（導電性を付与した発泡ポリエチレン）により形成されたパッド（ここでは下押圧部７３）と、を含んでなるものである。
本装置１１においては、前記導電部（把持部３１外面）と電気的に接続（接続線９１を経由して電気的に接続される）されると共に、支持棒（先端側シャフト部６５と基端側シャフト部６３）にスライド自在に外嵌された外嵌部材（ここでは先端側フランジ部材６４）を含み、外嵌部材（先端側フランジ部材６４）を介して導電部（把持部３１外面）と支持棒（先端側シャフト部６５と基端側シャフト部６３）とが電気的に接続されるものである。
本装置１１においては、支持板（上押圧部７５）の外面の一部とパッド（下押圧部７３）の外面の一部が接着層７７を介して接着されると共に、支持板（上押圧部７５）の外面の他の一部とパッド（下押圧部７３）の外面の他の一部とが直接接触しており、これら両方の他の一部のうち一方に他方に向かって突出する凸部（ここでは円錐台部７５ｂ）が形成され、該他方に凸部（円錐台部７５ｂ）を収容する凹部（凹部７３ｈ）が形成されているものである。
【００３７】
本装置１１においては、当接手段（外側当接部４６）に対して把持手段（把持部３１）を所定方向（ここでは当接手段（外側当接部４６）に近づく方向）に相対的に変位（それによりスイッチ５１がＯＮ）させることで進退手段（アクチュエータ８１、つるまきバネ６６）が動作するものである。
本装置１１においては、当接手段（外側当接部４６）が、前記少なくとも３点（当接部分３４６に存する無数の点）を巡るように結ぶ検知面３０３に沿った閉曲線の一部又は全部（ここでは全部）に沿って検知面３０３に当接するものである。
本装置１１においては、当接手段（外側当接部４６）が検知面３０３に当接する際に前記閉曲線の内部に存する検知面３０３の部分（図９においては当接部分３４６により取り囲まれた領域３９１）に当接する補助当接手段（ここでは内側当接部４２）を備えてなるものである。
本装置１１においては、前記閉曲線（長方形状（ここでは略正方形））の内部に存する検知面３０３の部分（図９においては当接部分３４６により取り囲まれた領域３９１）に接触部（下面７３ｂ）が接触するものである。
本装置１１においては、進退手段（アクチュエータ８１、つるまきバネ６６）が、接触手段（先端側シャフト部６５、基端側シャフト部６３、基端側フランジ部材６２及び押圧部７１）を接触状態及び非接触状態の一方の状態（ここでは接触状態）から他方の状態（ここでは非接触状態）に遷移させる付勢バネ（つるまきバネ６６）と、該付勢バネ（つるまきバネ６６）の付勢力に抗して該他方の状態（ここでは非接触状態）から該一方の状態（ここでは接触状態）に遷移させる駆動部（アクチュエータ８１）と、を有してなるものである。
【符号の説明】
【００３８】
１１              本装置
２１              本体部
２１ａ            上面
２１ｂ            下面
２２              内部空間
２３              電子基板
２４              基板支持板
２５              内嵌部
２６              シャフト貫通孔
２７              当接板
３１              把持部
３２              固定板
３９              上面
４１              当接部
４２              内側当接部
４２ｂ            下面
４６              外側当接部
４６ｂ            下面
５１              スイッチ
５１ａ            一方の接触端子
５１ｂ            他方の接触端子
５５              電池
５７              バネ
５８              スイッチ棒
６１              シャフト部
６２              基端側フランジ部材
６３              基端側シャフト部
６４              先端側フランジ部材
６４ａ            面
６４ｂ            面
６５              先端側シャフト部
６６              つるまきバネ
７１              押圧部
７３              下押圧部
７３ｂ            下面
７３ｈ            凹部
７５              上押圧部
７５ａ            直円柱部
７５ｂ            円錐台部
７７              接着層
８１              アクチュエータ
８３              スリーブ
９１              接続線
９４              ハンダ
２０１              手
３０１              タッチパネル
３０３              検知面
３４２              当接部分
３４６              当接部分
３７１              当接部分
３９１              領域
【図１】
2015138361.tif 000003
【図２】
2015138361.tif 000004
【図３】
2015138361.tif 000005
【図４】
2015138361.tif 000006
【図５】
2015138361.tif 000007
【図６】
2015138361.tif 000008
【図７】
2015138361.tif 000009
【図８】
2015138361.tif 000010
【図９】
2015138361.tif 000011